(57)【要約】【課題】筒状のハウジング内において紐類のそれぞれの端部を個別に連結することができ、あまり横幅をとらない構造とすることが可能な各種の紐類の連結金具を提供することを目的とするものである。【解決手段】両開口端から中央に向かって大径となる、長さ方向に一対のテーパ状断面の中空部を内部に形成した筒状ハウジングを備え、筒状ハウジングの大径部分の側面には開口部を設け、筒状ハウジング内の各テーパ状断面の中空部にそれぞれ摺動ストッパを移動可能に収納した各種の紐類の連結金具であって、筒状ハウジング内に挿通した紐類を、筒状ハウジング側面の開口部と筒状ハウジングの開口端とから引き出し、筒状ハウジングの開口端からの牽引力が作用したとき、摺動ストッパがテーパ状断面の小径側に移動して、各種の紐類が筒状ハウジング内において摺動ストッパにより押圧され、所定の長さに保持されるようにしたことを特徴とする各種の紐類の連結金具。【選択図】  図１
2005087567.tif 000002
【特許請求の範囲】
【請求項１】
両開口端から中央に向かって大径となる、長さ方向に一対のテーパ状断面の中空部を内部に形成した筒状ハウジングを備え、筒状ハウジングの大径部分の側面には開口部を設け、筒状ハウジング内の各テーパ状断面の中空部にそれぞれ摺動ストッパを移動可能に収納した各種の紐類の連結金具であって、筒状ハウジング内に挿通した紐類を、筒状ハウジング側面の開口部と筒状ハウジングの開口端とから引き出し、筒状ハウジングの開口端からの牽引力が作用したとき、摺動ストッパがテーパ状断面の小径側に移動して、各種の紐類が筒状ハウジング内において摺動ストッパにより押圧され、所定の長さに保持されるようにしたことを特徴とする各種の紐類の連結金具。
【請求項２】
摺動ストッパが磁性材で構成され、常態においてテーパ状断面の大径部分で吸着するように構成した各種の紐類の連結金具であって、筒状ハウジング内への紐類の挿通を無理なく行えるようにしたことを特徴とする請求項１に記載の各種の紐類の連結金具。
【請求項３】
筒状ハウジングのテーパ状断面の大径部分に、摺動ストッパを所定の位置に吸着して保持する収納体が設けられていることを特徴とする請求項１に記載の各種の紐類の連結金具。
【請求項４】
収納体が、摺動ストッパを所定の位置に吸着して保持する磁性材で構成されていることを特徴とする請求項１に記載の各種の紐類の連結金具。
【請求項５】
紐類の一端に、金具や結び目等からなる抜止め部を設けたことを特徴とする請求項１ないし３のいずれかに記載の各種の紐類の連結金具。
【発明の詳細な説明】
【技術分野】
【０００１】
この発明は、ウォーキングやジョギング、その他のスポーツ衣料等に使用されている紐類や、髪の毛に連結する飾毛等を連結するために使用されるものであって、連結位置を簡単に調節することができる各種の紐類の連結金具の改良に関する。
【背景技術】
【０００２】
従来、例えばウォーキングやジョギング、その他のスポーツ衣料等に使用されている紐類は、その両端を丸結びや蝶結び等で結んで所定の長さに調節している。
【０００３】
また紐用バックルのうち、ヘルメット用、衣服用、特に下着用において使用される、主として丸紐や角紐などのベルト以外の紐用のバックルとしては、下記のような種々のものが提案されてきている。
【０００４】
たとえば、特開平４−４０９０１号公報（特許文献１参照）や実開平１−１１９５０６号公報（特許文献２参照）、実公昭１３−１７８９２号公報（特許文献３参照）に紐類の両端を揃えて結束するような形態で、両端を引き絞るようにしてその長さを調節するものが示されている。
【特許文献１】特開平４−４０９０１号公報
【特許文献２】実開平１−１１９５０６号公報
【特許文献３】実公昭１３−１７８９２号公報
【発明の開示】
【発明が解決しようとする課題】
【０００５】
上記いずれの先行技術も、紐類の両端を揃えて結束するような形態で、両端を引き絞るようにしてその長さを調節するという点で軌を一にするものである。
【０００６】
しかしながら上記いずれの先行技術も、紐類の両端を揃えて結束するような形態であるため、連結金具の構造として、2本の紐類を並べて挿通するための横幅を必要としている。すなわち、2本の紐類を並べて挿通するためにある程度平面的な構造であることを必要としていたのである。
【０００７】
そこでこの発明は、筒状のハウジング内において紐類のそれぞれの端部を個別に連結することができ、あまり横幅をとらない構造とすることが可能な各種の紐類の連結金具を提供することを目的とするものである。
【課題を解決するための手段】
【０００８】
この発明の各種の紐類の連結金具は、両開口端から中央に向かって大径となる、長さ方向に一対のテーパ状断面の中空部を内部に形成した筒状ハウジングを備え、筒状ハウジングの大径部分の側面には開口部を設け、筒状ハウジング内の各テーパ状断面の中空部にそれぞれ摺動ストッパを移動可能に収納した各種の紐類の連結金具であって、筒状ハウジング内に挿通した紐類を、筒状ハウジング側面の開口部と筒状ハウジングの開口端とから引き出し、筒状ハウジングの開口端からの牽引力が作用したとき、摺動ストッパがテーパ状断面の小径側に移動して、各種の紐類が筒状ハウジング内において摺動ストッパにより押圧され、所定の長さに保持されるようにしたことを特徴とするものである。
【０００９】
この発明の各種の紐類の連結金具は、上記摺動ストッパが磁性材で構成され、常態においてテーパ状断面の大径部分で吸着するように構成した各種の紐類の連結金具であって、筒状ハウジング内への紐類の挿通を無理なく行えるようにしたことをも特徴とするものである。
【００１０】
この発明の各種の紐類の連結金具は、上記筒状ハウジングのテーパ状断面の大径部分に、摺動ストッパを所定の位置に吸着して保持する収納体が設けられていることをも特徴とするものである。
【００１１】
この発明の各種の紐類の連結金具は、上記収納体が、摺動ストッパを所定の位置に吸着して保持する磁性材で構成されていることをも特徴とするものである。
【００１２】
この発明の各種の紐類の連結金具は、上記紐類の一端に、金具や結び目等からなる抜止め部を設けたことをも特徴とするものである。
【発明の効果】
【００１３】
この発明によれば、筒状のハウジング内において紐類のそれぞれの端部を個別に連結することができ、あまり横幅をとらない構造とすることが可能な各種の紐類の連結金具を提供することが可能となった。
また、摺動ストッパで抜け止めするようにしたので、結んで結束した場合のような紐類の磨耗等もなく、紐類の寿命を大幅にアップさせることができる。
【発明を実施するための最良の形態】
【００１４】
以下この発明の各種の紐類の連結金具の実施の形態について、図面に基いて詳細に説明する。
図１はこの発明の各種の紐類の連結金具の１実施例を示す概略側面図、図２はその平面図、図３はその概略断面図、図４は紐類に引っ張り方向の負荷をかけ始めた状態を示す概略断面図、また、図５は紐類に引っ張り方向の負荷をかけ終えた状態を示す概略断面図、図６はこの発明の各種の紐類の連結金具の他の実施例を示す概略断面図、図７はその平面図、図８は使用状態の概略図である。
である。
【００１５】
図１ないし図３に示す各種の紐類の連結金具の実施例においては、両開口端から中央に向かって大径となる、長さ方向に一対のテーパ状断面の中空部１３を内部に形成した筒状ハウジング１１を備え、筒状ハウジング１１の大径部分の側面には開口部１５が設けてある。
【００１６】
そして、筒状ハウジング１１内の各テーパ状断面の中空部１３にはそれぞれ摺動ストッパ１７が移動可能に収納してある。そしてこの実施例において、上記筒状ハウジング１１のテーパ状断面の大径部分には、摺動ストッパ１７を常態において所定の位置に吸着して保持する磁石製の収納体１９が設けられている。
もちろん、上記摺動ストッパ１７そのものを磁性材で構成し、常態においてテーパ状断面の大径部分で一対の摺動ストッパ１７どうしが吸着するようにしてもよい。この場合でも、上記構造の収納体１９を設けておくことは望ましいことである。
【００１７】
そして、筒状ハウジング１１内に挿通した紐類２１を、筒状ハウジング１１側面の開口部１５と筒状ハウジング１１の開口端２３とから引き出すように構成する。このような構造において、筒状ハウジング１１の開口端２３側から紐類２１に牽引力が作用したとき、紐類２１の移動に連れて摺動ストッパ１７がテーパ状断面の小径側に移動し、紐類２１が筒状ハウジング１１内において摺動ストッパ１７により押圧されることにより、所定の長さ（位置）に保持されるようになるのである。
なお、図では摺動ストッパ１７として球状のものを示したが、紐類２１の移動に連れて摺動ストッパ１７がテーパ状断面の小径側に移動し、紐類２１が筒状ハウジング１１内において摺動ストッパ１７により押圧される構造であれば、例えば円柱ないし円筒状のものであってもよい。
【００１８】
この発明の各種の紐類の連結金具においては、上記紐類２１の一端に、金具や結び目等からなる抜止め部２５を設けることも可能である。
【００１９】
以上のように構成したこの実施例においては、図４に示すように、筒状ハウジング１１内に挿通した紐類２１の、筒状ハウジング１１側面の開口部３５から引き出した端部を、筒状ハウジング１１とほぼ平行になるように揃え、その状態で筒状ハウジング１１の開口端２３からの牽引力が作用するようにすると、摺動ストッパ１７がテーパ状断面の小径側に確実に移動する。したがってその状態では図５に示すように、紐類２１が筒状ハウジング１１内において摺動ストッパ１７により押圧されることとなり、所定の長さに確実に保持されるのである。
【００２０】
この発明の紐類の連結金具のさらに別の実施例を示す図６ないし図８において、筒状ハウジング３１の大径の開口端部位置には、ほぼ対称形の筒状ハウジング３２がその大径の開口端部を一体的に取り付けられている。この例では、中蓋３３および筒状ハウジング３１の大径部分の側壁に左右一対の開口部３４が設けられている。３５は筒状ハウジング３１に収納した摺動ストッパ、３６は小径の開口端部である。
なお、この例においては摺動ストッパや収納体として、上記実施例のような磁性材を用いてはいないが、髪の毛のようなすべりのよい素材の紐類の挿通にはなんら支障なく使用することができる。
【００２１】
この実施例では、筒状ハウジング３１，３２の小径の開口端部３６から紐類２１を挿通し、大径部分の側壁に設けた開口部３４から引き出している。その上で紐類２１を小径の開口端部３６側から牽引すると、紐類２１は筒状ハウジング３１，３２内壁と摺動ストッパ３５との間で挟み付けられ、筒状ハウジング３１，３２内に確実に固着される。したがって、図６のように紐類２１を小径の開口端部３６からから引き出すような形で筒状ハウジング３１，３２で連結することができる。
したがって、図８のように束ねた髪の毛３７に飾毛３８を連結することにより、個性的なファッションを演出するができる。
【産業上の利用可能性】
【００２２】
この発明によれば、従来、例えばウォーキングやジョギング、その他のスポーツ衣料等に使用されている紐類の連結金具として、また通常のヘルメット用、衣服用、特に下着用において使用される、主として丸紐や角紐などのベルト以外の紐類の連結金具として利用することができる。
【００２３】
さらに、束ねた髪の毛等に飾毛を連結したり、その他種々の紐類を連結する種々の用途に利用することができる。
【図面の簡単な説明】
【００２４】
【図１】この発明の各種の紐類の連結金具の１実施例を示す概略側面図である。
【図２】その平面図である。
【図３】その概略断面図である。
【図４】紐類に引っ張り方向の負荷をかけ始めた状態を示す概略断面図である。
【図５】紐類に引っ張り方向の負荷をかけ終えた状態を示す概略断面図である。
【図６】この発明の各種の紐類の連結金具の他の実施例を示す概略断面図である。
【図７】その平面図である。
【図８】使用状態の概略図である。
【符号の説明】
【００２５】
１１  筒状ハウジング
１３  中空部
１５  開口部
１７  摺動ストッパ
１９  収納体
２１  紐類
２３  開口端
２５  抜止め部
３１  筒状ハウジング
３２  対称形の筒状ハウジング
３３  中蓋
３４  開口部
３５  摺動ストッパ
３６  小径の開口端部
３７  束ねた髪の毛
３８  飾毛
【図１】
2005087567.tif 000003
【図２】
2005087567.tif 000004
【図３】
2005087567.tif 000005
【図４】
2005087567.tif 000006
【図５】
2005087567.tif 000007
【図６】
2005087567.tif 000008
【図７】
2005087567.tif 000009
【図８】
2005087567.tif 000010